(57)【要約】【課題】一つの側面として、吹出グリルにおける風速の検出精度を向上させることが目的である。【解決手段】空調システム１０は、吹出グリル１６と、空調機２２と、複数の風速センサ２６とを備える。空調機２２は、吹出グリル１６から風を吹き出させる。複数の風速センサ２６は、吹出グリル１６の風吹出方向から見て吹出グリル１６の縦方向及び横方向に対してそれぞれ傾斜する方向に沿って配置される。【選択図】図２
2015090248.tif 000002
【特許請求の範囲】
【請求項１】
吹出グリルと、
前記吹出グリルから風を吹き出させる空調機と、
前記吹出グリルの風吹出方向から見て前記吹出グリルの縦方向及び横方向に対してそれぞれ傾斜する方向に沿って配置された複数の風速センサと、
を備えた空調システム。
【請求項２】
前記吹出グリルは、風吹出方向から見て矩形状に形成され、
前記複数の風速センサは、前記吹出グリルにおける一対の対角線のうちの少なくとも一方の対角線に沿って配置される、
請求項１に記載の空調システム。
【請求項３】
前記複数の風速センサは、前記吹出グリルにおける一対の対角線のうちの一方の対角線に沿って配置される、
請求項２に記載の空調システム。
【請求項４】
前記複数の風速センサは、前記一方の対角線における一端側から他端側に亘って配置される、
請求項３に記載の空調システム。
【請求項５】
前記複数の風速センサは、前記一対の対角線の各々における長さ方向の中央部を含む片側に配置される、
請求項２に記載の空調システム。
【請求項６】
前記複数の風速センサの少なくとも一つは、前記対角線に対して前記吹出グリルの縦方向及び横方向の各全長の１４％の範囲内に配置される、
請求項２〜請求項５のいずれか一項に記載の空調システム。
【請求項７】
吹出グリルと、
前記吹出グリルから風を吹き出させる空調機と、
前記吹出グリルの風吹出方向から見て前記吹出グリルの縦方向及び横方向に対してそれぞれ傾斜する方向に沿って配置された複数の風速センサと、
前記床グリルから吹き出される風が供給される情報処理装置と、
を備えたデータセンタ。
【発明の詳細な説明】
【技術分野】
【０００１】
本願の開示する技術は、空調システム及びデータセンタに関する。
【背景技術】
【０００２】
従来、吹出グリルと、吹出グリルから風を吹き出させる空調機と、吹出グリルの裏側に配置された風速センサとを備えた空調システムが知られている（例えば、特許文献１参照）。
【先行技術文献】
【特許文献】
【０００３】
【特許文献１】特開２０１０−２７０９９８号公報
【特許文献２】特開平８−２４７８０７号公報
【発明の概要】
【発明が解決しようとする課題】
【０００４】
このような空調システムでは、吹出グリルにおける風速を精度良く検出できることが要求される。
【０００５】
そこで、本願の開示する技術は、一つの側面として、吹出グリルにおける風速の検出精度を向上させることを目的とする。
【課題を解決するための手段】
【０００６】
上記目的を達成するために、本願の開示する技術によれば、吹出グリルと、空調機と、複数の風速センサとを備えた空調システムが提供される。空調機は、吹出グリルから風を吹き出させる。複数の風速センサは、吹出グリルの風吹出方向から見て吹出グリルの縦方向及び横方向に対してそれぞれ傾斜する方向に沿って配置される。
【発明の効果】
【０００７】
本願の開示する技術によれば、吹出グリルにおける風速の検出精度を向上させることができる。
【図面の簡単な説明】
【０００８】
【図１】データセンタの斜視図である。
【図２】データセンタの平面図である。
【図３】空調機及び風速センサの配置並びに吹出グリルにおける風速分布を示す図である。
【図４】第一変形例を示す図である。
【図５】第二変形例を示す図である。
【図６】第三変形例を示す図である。
【図７】第四変形例を示す図である。
【図８】対角線からのオフセット量と誤差率との関係を示す図である。
【図９】第五変形例を示す図である。
【図１０】第六変形例を示す図である。
【図１１】第七変形例を示す図である。
【図１２】第八変形例を示す図である。
【図１３】第九変形例を示す図である。
【図１４】シミュレーション解析に用いられる風速センサの配置パターンを示す図である。
【図１５】シミュレーション解析に用いられるデータセンタの平面図である。
【図１６】シミュレーション解析における空調機の風量度合のパターンを示す図である。
【図１７】シミュレーション解析の結果を示す図である。
【発明を実施するための形態】
【０００９】
以下、本願の開示する技術の一実施形態を説明する。
【００１０】
図１に示されるように、本実施形態に係るデータセンタ１は、空調システム１０と、複数の情報処理装置１２とを備える。空調システム１０は、データセンタ１の床１４に設けられた格子状の吹出グリル１６を有する。吹出グリル１６は、後述する如く風を床の上方に向けて吹出する。この吹出グリル１６は、風吹出方向から見て（平面視にて）縦方向を長手方向とし横方向を短手方向とする矩形状に形成される（図２も参照）。
【００１１】
複数の情報処理装置１２は、吹出グリル１６の短手方向の両側に配置される。片側の複数の情報処理装置１２は、吹出グリル１６の長手方向に沿って配置されており、同様に、反対側の複数の情報処理装置１２は、吹出グリル１６の長手方向に沿って配置される。片側の複数の情報処理装置１２と、反対側の複数の情報処理装置１２とは、吹出グリル１６の短手方向に対向する。各情報処理装置１２は、ラック１８と、複数の電子機器２０とを有する。各情報処理装置１２において、複数の電子機器２０は、ラック１８に搭載されており、ラック１８の高さ方向に並べられる。
【００１２】
空調システム１０は、上述の吹出グリル１６に加え、一対の空調機２２を有する。一対の空調機２２は、吹出グリル１６の縦方向の両側にそれぞれ配置される。中心線２４は、吹出グリル１６の長手方向に延びると共に吹出グリル１６における横方向の中央部を通る線である。一対の空調機２２は、中心線２４に対して一の側（横方向一方側）にずれて配置されており、吹出グリル１６の長手方向に対向する（図２も参照）。この一対の空調機２２が作動すると、この一対の空調機２２から送り出された風が床１４の裏側を通じて吹出グリル１６の裏側に供給され、吹出グリル１６の裏側から表側（床１４の上方）に風Ｗ１が吹き出される。
【００１３】
また、上述の各電子機器２０には、送風機が搭載されており、この送風機が作動すると、吹出グリル１６から吹き出された風Ｗ１が各情報処理装置１２の吹出グリル１６側から風Ｗ２として各情報処理装置１２に供給される。この各情報処理装置１２に供給された風Ｗ２は、各情報処理装置１２における複数の電子機器２０の各々の内部を通過した後、各情報処理装置１２の吹出グリル１６と反対側から風Ｗ３として排出される。そして、このようにして吹出グリル１６から吹き出された風が各電子機器２０の内部を通過することにより各電子機器２０が冷却される。
【００１４】
図２に示されるように、空調システム１０は、複数の風速センサ２６を有する。この複数の風速センサ２６の個数は、一例として、５個である。この複数の風速センサ２６は、吹出グリル１６の風吹出方向から見て吹出グリル１６の縦方向及び横方向に対してそれぞれ傾斜する方向に沿って配置される。つまり、より具体的には、吹出グリル１６における一対の対角線３０，３２を仮想的に設定した場合に、上述の複数の風速センサ２６は、一対の対角線３０，３２のうち一方の対角線３０上に配置される。この複数の風速センサ２６は、一方の対角線３０における一端側から他端側に亘って略等間隔で配置される。
【００１５】
なお、複数の風速センサ２６が一方の対角線３０上に配置されることは、複数の風速センサ２６が一方の対角線３０に沿って配置されることに含まれる。また、複数の風速センサ２６が一方の対角線３０上に配置されることは、複数の風速センサ２６が吹出グリル１６の縦方向及び横方向に対してそれぞれ傾斜する方向に沿って配置されることに含まれる。
【００１６】
一対の空調機２２は、上述の通り、吹出グリル１６の縦方向の両側にそれぞれ配置されると共に、吹出グリル１６における横方向の中央部を通る中心線２４に対してずれて配置される。また、図３に示されるように、一対の空調機２２の各々からは、吹出グリル１６の中央部に向けて同じ風量で風Ｗが送り出される。従って、吹出グリル１６では、縦方向及び横方向に風速が変化して分布する。つまり、より具体的には、この吹出グリル１６では、縦方向の両端側から中央側に向かうに従って風速が減少すると共に、横方向の一の側（一対の空調機２２が配置された側）から他の側に向かうに従って風速が減少する。図３では風速が減少するに従ってグラデーションが薄くなるように示されている。
【００１７】
このように、吹出グリル１６は、それぞれ風速が変化して分布する一対の対称分布領域３４，３６を有する。この一対の対称分布領域３４，３６は、吹出グリル１６の縦方向の中央部を基準にして吹出グリル１６の縦方向に線対称である。
【００１８】
また、空調システム１０は、制御ユニット３８を備える。この制御ユニット３８には、複数の風速センサ２６からの出力信号に基づいて一対の空調機２２の風量を調節するプログラム等が記憶される。そして、この制御ユニット３８は、上記プログラムを実行して複数の風速センサ２６からの出力信号に基づいて一対の空調機２２の風量を調節する。
【００１９】
次に、本実施形態の作用及び効果について説明する。
【００２０】
本実施形態によれば、複数の風速センサ２６は、吹出グリル１６における一対の対角線３０，３２のうち一方の対角線３０上に配置される。そして、これにより、複数の風速センサ２６は、吹出グリル１６の縦方向及び横方向に対してそれぞれ傾斜する方向に沿って配置される。従って、例えば、一対の空調機２２が中心線２４に対してずれて配置されることにより吹出グリル１６の風速分布が縦方向に加えて横方向に変化しても、吹出グリル１６における風速の検出精度を向上させることができる。
【００２１】
つまり、例えば、複数の風速センサ２６が吹出グリル１６の中心線２４上に配置されていた場合には、吹出グリル１６の風速分布が縦方向に加えて横方向にも変化することに追従できず、吹出グリル１６における風速の検出精度が低下する。
【００２２】
これに対して、本実施形態によれば、複数の風速センサ２６は、吹出グリル１６の縦方向及び横方向に対してそれぞれ傾斜する方向に沿って配置される。従って、吹出グリル１６の風速分布が縦方向に加えて横方向に変化しても、この横方向への風速分布の変化に追従して風速を検出することができる。これにより、複数の風速センサ２６が吹出グリル１６の中心線２４上に配置されていた場合に比して、吹出グリル１６における風速の検出精度を向上させることができる。
【００２３】
しかも、本実施形態によれば、一対の対角線３０，３２の交点上に配置された風速センサ２６を除く残りの複数の風速センサ２６が、吹出グリル１６の縦方向に対称な位置Ｐにおける風速検出を補完する。これにより、複数の風速センサ２６の個数の増加を抑えつつ、吹出グリル１６における風速の検出精度を向上させることができる。
【００２４】
次に、本実施形態の変形例について説明する。
【００２５】
なお、以下に説明する複数の変形例において、各変形例で説明された以外の構成については、上記実施形態における構成と同様である。
【００２６】
［第一変形例］
図４に示される第一変形例において、複数の風速センサ２６は、一対の対角線３０，３２の各々における長さ方向の中央部を含む片側に配置される。そして、これにより、複数の風速センサ２６は、Ｖ字状に配置される。
【００２７】
この第一変形例によれば、複数の風速センサ２６は、吹出グリル１６における一対の対角線３０，３２上に配置される。従って、上記実施形態と同様に、吹出グリル１６の風速分布が縦方向に加えて横方向に変化しても、吹出グリル１６における風速の検出精度を向上させることができる。
【００２８】
また、一対の対角線３０，３２の交点上に配置された風速センサ２６を除く残りの複数の風速センサ２６が、吹出グリル１６の縦方向に対称な位置Ｐにおける風速検出を補完する。これにより、複数の風速センサ２６の個数の増加を抑えつつ、吹出グリル１６における風速の検出精度を向上させることができる。
【００２９】
なお、複数の風速センサ２６のうちいずれかの風速センサ２６は、一対の対角線３０，３２の各々における長さ方向の中央部（交点）上に配置されなくても良い。
【００３０】
［第二変形例］
図５に示される第二変形例において、複数の風速センサ２６は、一方の対角線３０に加えて他方の対角線３２上にも配置される。また、複数の風速センサ２６は、一対の対角線３０，３２の各々における一端側から他端側に亘って略等間隔で配置される。
【００３１】
この第二変形例によっても、複数の風速センサ２６は、吹出グリル１６における一対の対角線３０，３２上に配置される。従って、上記実施形態と同様に、吹出グリル１６の風速分布が縦方向に加えて横方向に変化しても、吹出グリル１６における風速の検出精度を向上させることができる。
【００３２】
なお、図４，図５に示されるように複数の風速センサ２６が吹出グリル１６の一対の対角線３０，３２上に配置されることは、複数の風速センサ２６が吹出グリル１６の縦方向及び横方向に対してそれぞれ傾斜する方向に沿って配置されることに含まれる。
【００３３】
［第三変形例］
図６に示される第三変形例では、複数の風速センサ２６の数が６個に増加されている。また、複数の風速センサ２６のうちの半分は、一方の対称分布領域３４に配置され、複数の風速センサ２６のうちの残りの半分は、他方の対称分布領域３６に配置される。この複数の風速センサ２６は、一方の対角線３０上から外れた位置に配置された幾つかの風速センサ２６を含むが、全体としては一方の対角線３０に沿って配置される。この複数の風速センサ２６は、一方の対角線３０における一端側から他端側に亘って略等間隔で配置される。
【００３４】
この第三変形例によれば、複数の風速センサ２６は、一方の対角線３０に沿って配置される。従って、上記実施形態と同様に、吹出グリル１６の風速分布が縦方向に加えて横方向に変化しても、吹出グリル１６における風速の検出精度を向上させることができる。
【００３５】
なお、図６に示される第三変形例のように複数の風速センサ２６が対角線３０に沿って配置されることは、複数の風速センサ２６が吹出グリル１６の縦方向及び横方向に対してそれぞれ傾斜する方向に沿って配置されるに含まれる。
【００３６】
［第四変形例］
図７に示される第四変形例において、複数の風速センサ２６は、一方の対角線３０に対して吹出グリル１６の縦方向及び横方向にオフセットされる。そして、この複数の風速センサ２６は、一方の対角線３０に対して一定の範囲内に配置される。上述の一定の範囲は、一例として、一方の対角線３０に対して吹出グリル１６の縦方向及び横方向の各全長の１４％の範囲である。
【００３７】
この第四変形例のように、複数の風速センサ２６が一方の対角線３０に対して吹出グリル１６の縦方向及び横方向にオフセットされても、一方の対角線３０に沿って配置される。従って、上記実施形態と同様に、吹出グリル１６の風速分布が縦方向に加えて横方向に変化しても、吹出グリル１６における風速の検出精度を向上させることができる
【００３８】
ここで、図８には、対角線からのオフセット量と誤差率との関係が示されている。縦軸は、風速の誤差率［％］を示し、横軸は、対角線に対する吹出グリルの縦方向及び横方向へのオフセット量を示している。横軸のオフセット量は、吹出グリルの縦方向及び横方向の各全長に対する長さの割合である。また、基準値（約１４％）は、図７に示される複数の風速センサ２６が中心線２４上に配置された場合の風速の誤差率である。図８に示される基準値は、複数の風速センサの配置が異なる以外の条件（例えば風速センサの個数など）を図７に示される第四変形例と同じにして算出されたものである。
【００３９】
風速の誤差率ｅ［％］は、以下の式（１）、（２）で示されるように、吹出グリル全体の平均風速Ｖａｖｇを真値（理論値）とし、複数の風速センサの平均風速Ｖを測定値として算出される。複数の風速センサの平均風速Ｖは、複数の風速センサの合計風速Ｖｔを複数の風速センサの数ｎで除した値である。
【００４０】
ｅ＝｛（Ｖ−Ｖａｖｇ）／Ｖａｖｇ｝×１００・・・式（１）
Ｖ＝Ｖｔ／ｎ・・・式（２）
【００４１】
図８より、対角線からのオフセット量が１５％以上になると、風速の誤差率が基準値を超える。従って、対角線からのオフセット量が１４％以下であれば、複数の風速センサが吹出グリルの中心線上に配置された場合に比して、風速の誤差率を少なくすることができる。つまり、対角線からのオフセット量が１４％以下であれば、複数の風速センサが吹出グリルの中心線上に配置された場合に比して、風速の検出精度を向上させることができる。
【００４２】
この図７に示される第四変形例において、好ましくは、複数の風速センサ２６の全てが上述の一定の範囲内に配置されるが、複数の風速センサ２６の少なくとも一つが上述の一定の範囲内に配置されていれば良い。
【００４３】
また、風速センサ２６は、対角線３０に対して吹出グリル１６の縦方向及び横方向にオフセットされても良く、また、対角線３０に対して吹出グリル１６の縦方向及び横方向の一方にオフセットされても良い。
【００４４】
なお、図７に示される第四変形例のように複数の風速センサ２６が対角線３０に対して一定の範囲内に配置されることは、複数の風速センサ２６が対角線３０に沿って配置されることに含まれる。また、複数の風速センサ２６が対角線３０に対して一定の範囲内に配置されることは、複数の風速センサ２６が吹出グリル１６の縦方向及び横方向に対してそれぞれ傾斜する方向に沿って配置されることに含まれる。
【００４５】
また、図６に示される第三変形例は、図７に示される第四変形例のように、複数の風速センサ２６が対角線３０に対して一定の範囲内に配置される例として含められても良い。
【００４６】
［第五変形例］
図９に示される第五変形例において、空調機２２の個数は、一つである。この空調機２２は、吹出グリル１６の縦方向における一方側（吹出グリル１６における複数の角隅部のうち一の角隅部）に配置される。また、この空調機２２は、吹出グリル１６における一の角隅部に配置されることにより、吹出グリル１６における横方向の中央部を通る中心線２４に対してずれて配置される。この第五変形例の吹出グリル１６では、空調機２２から遠ざかるに従って風速が減少する。図９では風速が減少するに従ってグラデーションが薄くなるように示されている。なお、この第五変形例において、複数の風速センサ２６は、上記実施形態と同様に、一方の対角線３０上に配置される。
【００４７】
この第五変形例のように、一つの空調機２２が中心線２４に対してずれて配置されていても、吹出グリル１６の風速分布は、縦方向及び横方向に変化する。しかしながら、この第五変形例において、複数の風速センサ２６は、一方の対角線３０上に配置される。従って、吹出グリル１６の風速分布が縦方向及び横方向に変化しても、吹出グリル１６における風速の検出精度を向上させることができる。
【００４８】
［第六変形例］
図１０に示される第六変形例では、空調機２２の数が４個に増加されている。この４個の空調機２２は、矩形状に形成された吹出グリル１６における各角隅部に配置される。また、この４個の空調機２２は、吹出グリル１６の各角隅部に配置されることにより、吹出グリル１６における横方向の中央部を通る中心線２４に対してずれて配置される。この第六変形例の吹出グリル１６では、縦方向の両端側から中央側に向かうに従って風速が増加すると共に、横方向の両端側から中央側に向かうに従って風速が増加する。図１０では風速が増加するに従ってグラデーションが濃くなるように示されている。なお、この第六変形例において、複数の風速センサ２６は、上記実施形態と同様に、一方の対角線３０上に配置される。
【００４９】
この第六変形例のように、複数の空調機２２が吹出グリル１６の各角隅部に配置されると、吹出グリル１６の風速分布は、縦方向及び横方向に変化する。しかしながら、この第六変形例において、複数の風速センサ２６は、一方の対角線３０上に配置される。従って、吹出グリル１６の風速分布が縦方向及び横方向に変化しても、吹出グリル１６における風速の検出精度を向上させることができる。
【００５０】
また、一対の対角線３０，３２の交点上に配置された風速センサ２６を除く残りの複数の風速センサ２６が、吹出グリル１６の縦方向又は横方向に対称な位置Ｐにおける風速検出を補完する。これにより、複数の風速センサ２６の個数の増加を抑えつつ、吹出グリル１６における風速の検出精度を向上させることができる。
【００５１】
［第七変形例］
図１１に示される第七変形例において、矩形状の吹出グリル１６は、四つの矩形状の対称分布領域５０〜５６を有する。この四つの対象分布領域のうち一対の対称分布領域５０，５６は、それぞれ風速が変化して分布し且つ吹出グリル１６の縦方向の中央部を基準にして吹出グリル１６の縦方向に線対称である。同様に、この四つの対象分布領域のうち一対の対称分布領域５２，５４は、それぞれ風速が変化して分布し且つ吹出グリル１６の縦方向の中央部を基準にして吹出グリル１６の縦方向に線対称である。
【００５２】
また、複数の風速センサ２６は、四つの対称分布領域５０〜５６のうち片側の二つの対称分布領域５０，５２に配置される。一方の対称分布領域５０における複数の風速センサ２６は、この一方の対称分布領域５０における一対の対角線６０，６２のうちの一方の対角線６０上に配置される。同様に、他方の対称分布領域５２における複数の風速センサ２６は、この他方の対称分布領域５２における一対の対角線６４，６６のうちの一方の対角線６４上に配置される。
【００５３】
この第七変形例によっても、複数の風速センサ２６は、吹出グリル１６の縦方向及び横方向に対してそれぞれ傾斜する方向に沿って配置される。従って、上記実施形態と同様に、吹出グリル１６の風速分布が縦方向に加えて横方向に変化しても、吹出グリル１６における風速の検出精度を向上させることができる。
【００５４】
また、対称分布領域５０に配置された複数の風速センサ２６は、この対称分布領域５０と対称の対称分布領域５６における風速検出を補完する。同様に、対称分布領域５２に配置された複数の風速センサ２６は、この対称分布領域５２と対称の対称分布領域５４における風速検出を補完する。これにより、複数の風速センサ２６の個数の増加を抑えつつ、吹出グリル１６における風速の検出精度を向上させることができる。
【００５５】
なお、第七変形例において、一方の対称分布領域５０における複数の風速センサ２６は、一方の対角線６０上に加えて他方の対角線６２上に配置されても良い。同様に、他方の対称分布領域５２における複数の風速センサ２６は、一方の対角線６４上に加えて他方の対角線６６上に配置されても良い。
【００５６】
また、第七変形例において、吹出グリル１６は、上記以外の数の対称分布領域に分割されても良い。また、複数の風速センサ２６は、上記以外の数の対称分布領域のうち一の対称分布領域における一対の対角線のうちの少なくとも一方に沿って配置されても良い。
【００５７】
［第八変形例］
図１２に示される第八変形例において、複数の風速センサ２６は、一対の対称分布領域３４，３６に配置される。一方の対称分布領域３４における複数の風速センサ２６は、この一方の対称分布領域３４における一対の対角線６０，６２のうちの一方の対角線６０上に配置される。同様に、他方の対称分布領域３６における複数の風速センサ２６は、この他方の対称分布領域３６における一対の対角線６４，６６のうちの一方の対角線６４上に配置される。
【００５８】
この第八変形例によっても、複数の風速センサ２６は、吹出グリル１６の縦方向及び横方向に対してそれぞれ傾斜する方向に沿って配置される。従って、上記実施形態と同様に、吹出グリル１６の風速分布が縦方向に加えて横方向に変化しても、吹出グリル１６における風速の検出精度を向上させることができる。
【００５９】
また、対称分布領域３４に配置された複数の風速センサ２６は、この対称分布領域３４と対称の対称分布領域３６（複数の風速センサ２６に対する対称位置Ｐ１）における風速検出を補完する。同様に、対称分布領域３６に配置された複数の風速センサ２６は、この対称分布領域３６と対称の対称分布領域３４（複数の風速センサ２６に対する対称位置Ｐ２）における風速検出を補完する。これにより、複数の風速センサ２６の個数の増加を抑えつつ、吹出グリル１６における風速の検出精度を向上させることができる。
【００６０】
なお、第八変形例において、一方の対称分布領域３４における複数の風速センサ２６は、一方の対角線６０上に加えて他方の対角線６２上に配置されても良い。同様に、他方の対称分布領域３６における複数の風速センサ２６は、一方の対角線６４上に加えて他方の対角線６６上に配置されても良い。
【００６１】
［第九変形例］
図１３に示される第九変形例において、複数の風速センサ２６は、一対の対称分布領域３４，３６のうち一方の対称分布領域３４に配置される。また、この複数の風速センサ２６は、この一方の対称分布領域３４における一対の対角線６０，６２のうちの一方の対角線６０上に配置される。
【００６２】
この第九変形例によっても、複数の風速センサ２６は、吹出グリル１６の縦方向及び横方向に対してそれぞれ傾斜する方向に沿って配置される。従って、上記実施形態と同様に、吹出グリル１６の風速分布が縦方向に加えて横方向に変化しても、吹出グリル１６における風速の検出精度を向上させることができる。
【００６３】
また、対称分布領域３４に配置された複数の風速センサ２６は、この対称分布領域３４と対称の対称分布領域３６（複数の風速センサ２６に対する対称位置Ｐ）における風速検出を補完する。これにより、複数の風速センサ２６の個数の増加を抑えつつ、吹出グリル１６における風速の検出精度を向上させることができる。
【００６４】
なお、第九変形例において、複数の風速センサ２６は、対称分布領域３４における一方の対角線６０上に加えて他方の対角線６２上に配置されても良い。
【００６５】
［その他の変形例］
【００６６】
図２，図３に示される実施形態において、複数の風速センサ２６は、一対の対角線３０，３２のうち一方の対角線３０上に配置されるが、他方の対角線３２上に配置されても良い。
【００６７】
また、複数の風速センサ２６は、吹出グリル１６の風吹出方向から見て吹出グリル１６の縦方向及び横方向に対してそれぞれ傾斜する方向に沿って配置されていれば、一対の対角線３０，３２に沿って配置されていなくても良い。
【００６８】
また、吹出グリル１６は、矩形状以外の形状（例えば、円形、楕円形、三角形など）でも良い。また、吹出グリル１６が矩形状以外の形状である場合に、複数の風速センサ２６は、吹出グリル１６の縦方向及び横方向に対してそれぞれ傾斜する方向に沿って配置されても良い。吹出グリル１６が矩形状以外の形状である場合、吹出グリル１６の縦方向は、例えば、一対の空調機２２が対向する方向とされても良い。
【００６９】
また、一対の空調機２２は、吹出グリル１６の横方向の両側に配置されて、この吹出グリル１６の横方向に対向しても良い。そして、一対の対称分布領域３４，３６は、吹出グリル１６の横方向の中央部を基準にして吹出グリル１６の横方向に線対称でも良い。
【００７０】
また、一対の空調機２２は、吹出グリル１６の中心線２４上に配置されても良い。
【００７１】
また、一対の空調機２２の風量は、異なっていても良い。そして、一対の空調機２２の風量が異なることにより、吹出グリル１６の風速分布が縦方向及び横方向に変化しても良い。
【００７２】
また、空調システム１０は、データセンタ以外に適用されても良い。
【００７３】
また、上述の複数の変形例のうち組み合わせ可能な変形例は、適宜、組み合わされても良い。
【００７４】
［シミュレーション解析］
図１４〜図１７には、シミュレーション解析について示されている。図１４に示されるパターンＡ，Ｂ及びパターンＥ〜Ｇは、本実施形態に対する比較例であり、パターンＣ，Ｄには、本実施形態が適用される。
【００７５】
パターンＡは、吹出グリル１６の中心線２４上に５個の風速センサ２６を有し、パターンＢは、吹出グリル１６の中心線２４上に６個の風速センサ２６を有する。また、パターンＣは、吹出グリル１６における一方の対角線３０上に５個の風速センサ２６を有し、パターンＤは、吹出グリル１６における一方の対角線３０上に６個の風速センサ２６を有する。パターンＥは、吹出グリル１６の縦方向及び横方向の中心線２４上にクロス状に配置された５個の風速センサ２６を有する。また、パターンＦは、吹出グリル１６の縦方向及び横方向に２列３行で並ぶ６個の風速センサ２６を有し、パターンＧは、吹出グリル１６の縦方向及び横方向に３列２行で並ぶ６個の風速センサ２６を有する。
【００７６】
このシミュレーション解析では、図１５に示されるように、吹出グリル１６が横方向に３個並べられ、６個の空調機２２Ａ〜２２Ｃが３個の吹出グリル１６の縦方向の両側に配置される。この６個の空調機２２Ａ〜２２Ｃは、図１６の試験ＮＯ．１〜ＮＯ．５に示されるように、それぞれ風量度合が「０」、「小」、「中」、「大」に設定される。
【００７７】
このシミュレーション解析では、先ず、試験ＮＯ．１〜ＮＯ．５に示されるように風量度合がそれぞれ設定された場合について複数の吹出グリル１６全体の平均風速（理論値）が算出される。次に、複数の吹出グリル１６がそれぞれパターンＡ〜Ｇの各々とされた場合について、試験ＮＯ．１〜ＮＯ．５に示されるように風量度合が設定され、この場合について複数の風速センサ２６の平均風速が算出される。
【００７８】
図１７には、シミュレーション解析の結果が示されている。縦軸は、風速の誤差率を示している。風速の誤差率は、上述の第四変形例で示された式（１）で算出される。
【００７９】
図１７に示されるように、本実施形態が適用されたパターンＣ，Ｄは、本実施形態に対する比較例であるパターンＡ，Ｂ及びパターンＥ〜Ｇに比して風速の誤差率が低い（検出精度が高い）。従って、本実施形態によれば、比較例に比して吹出グリルにおける風速の検出精度を向上させることができる。
【００８０】
以上、本願の開示する技術の一実施形態について説明したが、本願の開示する技術は、上記に限定されるものでなく、上記以外にも、その主旨を逸脱しない範囲内において種々変形して実施可能であることは勿論である。
【００８１】
なお、上述の本願の開示する技術の一態様に関し、更に以下の付記を開示する。
【００８２】
（付記１）
吹出グリルと、
前記吹出グリルから風を吹き出させる空調機と、
前記吹出グリルの風吹出方向から見て前記吹出グリルの縦方向及び横方向に対してそれぞれ傾斜する方向に沿って配置された複数の風速センサと、
を備えた空調システム。
（付記２）
前記吹出グリルは、風吹出方向から見て矩形状に形成され、
前記複数の風速センサは、前記吹出グリルにおける一対の対角線のうちの少なくとも一方の対角線に沿って配置される、
付記１に記載の空調システム。
（付記３）
前記複数の風速センサは、前記吹出グリルにおける一対の対角線のうちの一方の対角線に沿って配置される、
付記２に記載の空調システム。
（付記４）
前記複数の風速センサは、前記一方の対角線における一端側から他端側に亘って配置される、
付記３に記載の空調システム。
（付記５）
前記吹出グリルは、それぞれ風速が変化して分布し且つ前記吹出グリルの縦方向又は横方向に線対称である一対の対称分布領域を有する、
付記１〜付記４のいずれか一項に記載の空調システム。
（付記６）
前記複数の風速センサは、前記一対の対角線の各々における長さ方向の中央部を含む片側に配置される、
付記２に記載の空調システム。
（付記７）
前記複数の風速センサは、前記一対の対角線の各々における一端側から他端側に亘って配置される、
付記２に記載の空調システム。
（付記８）
前記複数の風速センサの少なくとも一つは、前記対角線に対して一定の範囲内に配置される、
付記２〜付記７のいずれか一項に記載の空調システム。
（付記９）
前記一定の範囲は、前記対角線に対して前記吹出グリルの縦方向及び横方向の各全長の１４％の範囲である、
付記８に記載の空調システム。
（付記１０）
前記吹出グリルは、それぞれ風速が変化して分布し且つ互いに線対称である一対の矩形状の対称分布領域を有し、
前記複数の風速センサは、前記一対の対称分布領域のうちの一方における一対の対角線のうちの少なくとも一方の対角線に沿って配置される、
付記１に記載の空調システム。
（付記１１）
前記空調機は、前記吹出グリルの縦方向及び横方向のうちの一方の方向における前記吹出グリルの両側にそれぞれ配置される、
付記１〜付記１０のいずれか一項に記載の空調システム。
（付記１２）
前記空調機は、前記吹出グリルの縦方向の両側にそれぞれ配置される、
付記１１に記載の空調システム。
（付記１３）
前記空調機は、前記吹出グリルにおける縦方向及び横方向のうちの他方の方向の中央部を通る中心線に対してずれて配置される、
付記１１又は付記１２に記載の空調システム。
（付記１４）
前記吹出グリルは、風吹出方向から見て縦方向を長手方向とし横方向を短手方向とする矩形状に形成される、
付記１１〜付記１３のいずれか一項に記載の空調システム。
（付記１５）
吹出グリルと、
前記吹出グリルから風を吹き出させる空調機と、
前記吹出グリルの風吹出方向から見て前記吹出グリルの縦方向及び横方向に対してそれぞれ傾斜する方向に沿って配置された複数の風速センサと、
前記吹出グリルから吹き出される風が供給される情報処理装置と、
を備えたデータセンタ。
（付記１６）
前記吹出グリル、前記空調機、及び、前記複数の風速センサは、空調システムを形成し、
前記空調システムは、付記１〜付記１４のいずれか一項に記載の空調システムである、
付記１５に記載のデータセンタ。
【符号の説明】
【００８３】
１  データセンタ
１０  空調システム
１２  情報処理装置
１６  吹出グリル
２２  空調機
２６  風速センサ
３０，３２  対角線
【図１】
2015090248.tif 000003
【図２】
2015090248.tif 000004
【図４】
2015090248.tif 000005
【図５】
2015090248.tif 000006
【図６】
2015090248.tif 000007
【図７】
2015090248.tif 000008
【図８】
2015090248.tif 000009
【図１１】
2015090248.tif 000010
【図１２】
2015090248.tif 000011
【図１３】
2015090248.tif 000012
【図１４】
2015090248.tif 000013
【図１５】
2015090248.tif 000014
【図１６】
2015090248.tif 000015
【図１７】
2015090248.tif 000016
【図３】
2015090248.tif 000017
【図９】
2015090248.tif 000018
【図１０】
2015090248.tif 000019